(57)【要約】【課題】顕微鏡が設置された地域に応じて標識を変更可能な顕微鏡システムを提供すること。【解決手段】顕微鏡システムは、入力された画像信号に応じて画像を表示する表示部を有する顕微鏡と、前記顕微鏡の位置に関する位置情報を取得して出力する位置情報取得部、各地域に対応する標識を記録している記録部、及び前記位置情報取得部が出力した前記位置情報に対応する地域を判定し、前記記録部から前記地域に対応する前記標識を読み出し、該標識の前記画像信号を前記表示部に出力する制御部を有する顕微鏡制御部と、を備える。【選択図】図１
2017203802.tif 000002
【特許請求の範囲】
【請求項１】
入力された画像信号に応じて画像を表示する表示部を有する顕微鏡と、
前記顕微鏡の位置に関する位置情報を取得して出力する位置情報取得部、各地域に対応する標識を記録している記録部、及び前記位置情報取得部が出力した前記位置情報に対応する地域を判定し、前記記録部から前記地域に対応する前記標識を読み出し、該標識の前記画像信号を前記表示部に出力する制御部を有する顕微鏡制御部と、
を備えることを特徴とする顕微鏡システム。
【請求項２】
前記位置情報取得部は、ＧＰＳ受信機を含むことを特徴とする請求項１に記載の顕微鏡システム。
【請求項３】
前記標識は、各地域に対応して定められている使用者に注意を喚起する警告ラベルであることを特徴とする請求項１又は２に記載の顕微鏡システム。
【請求項４】
前記顕微鏡に接続されるユニットを備え、
前記記録部は、前記ユニットに対応する前記標識を記録しており、
前記制御部は、接続された前記ユニットを判定し、前記記録部から前記ユニットに対応する前記標識を読み出すことを特徴とする請求項１〜３のいずれか１つに記載の顕微鏡システム。
【請求項５】
前記ユニットは、レーザ光を出力するレーザーコンバイナーであり、
前記記録部は、前記ユニットの出力状態に対応する前記標識を記録しており、
前記制御部は、前記ユニットの出力状態を判定し、前記ユニットの出力状態に対応する前記標識を前記記録部から読み出すことを特徴とする請求項４に記載の顕微鏡システム。
【請求項６】
前記顕微鏡制御部は、前記標識に応じて前記表示部において前記標識が表示される位置又は大きさを変更することを特徴とする請求項１〜５のいずれか１つに記載の顕微鏡システム。
【発明の詳細な説明】
【技術分野】
【０００１】
本発明は、顕微鏡システムに関する。
【背景技術】
【０００２】
従来、ＧＰＳ（Ｇｌｏｂａｌ  Ｐｏｓｉｔｉｏｎｉｎｇ  Ｓｙｓｔｅｍ）受信機等を用いた位置検出手段を備える顕微鏡システムにおいて、その顕微鏡システムで使用する言語を、顕微鏡が設置された位置に応じて、その設置位置を含む地域の公用語にする顕微鏡システムが開示されている（例えば特許文献１参照）。この顕微鏡システムでは、顕微鏡がどの地域に設置されたとしても、使用者は言語の設定を行う手間をかけることなく顕微鏡システムを使用することができる。
【先行技術文献】
【特許文献】
【０００３】
【特許文献１】特開２００１−２９２３６９号公報
【発明の概要】
【発明が解決しようとする課題】
【０００４】
ところで、顕微鏡システムには、使用者に注意を喚起する警告ラベル、販売代理店のロゴマークや連絡先を含むラベル等の標識等が貼られている。警告ラベルは、地域によって異なる場合がある。同様に、販売代理店が地域によって異なる場合がある。そのため、上述した従来の顕微鏡システムでは、顕微鏡が設置される地域に応じて標識を貼り替える手間がかかっていた。
【０００５】
本発明は、上記に鑑みてなされたものであって、顕微鏡が設置された地域に応じて標識を変更可能な顕微鏡システムを提供することを目的とする。
【課題を解決するための手段】
【０００６】
上述した課題を解決し、目的を達成するために、本発明の一態様に係る顕微鏡システムは、入力された画像信号に応じて画像を表示する表示部を有する顕微鏡と、前記顕微鏡の位置に関する位置情報を取得して出力する位置情報取得部、各地域に対応する標識を記録している記録部、及び前記位置情報取得部が出力した前記位置情報に対応する地域を判定し、前記記録部から前記地域に対応する前記標識を読み出し、該標識の前記画像信号を前記表示部に出力する制御部を有する顕微鏡制御部と、を備えることを特徴とする。
【０００７】
また、本発明の一態様に係る顕微鏡システムは、前記位置情報取得部は、ＧＰＳ受信機を含むことを特徴とする。
【０００８】
また、本発明の一態様に係る顕微鏡システムは、前記標識は、各地域に対応して定められている使用者に注意を喚起する警告ラベルであることを特徴とする。
【０００９】
また、本発明の一態様に係る顕微鏡システムは、前記顕微鏡に接続されるユニットを備え、前記記録部は、前記ユニットに対応する前記標識を記録しており、前記制御部は、接続された前記ユニットを判定し、前記記録部から前記ユニットに対応する前記標識を読み出すことを特徴とする。
【００１０】
また、本発明の一態様に係る顕微鏡システムは、前記ユニットは、レーザ光を出力するレーザーコンバイナーであり、前記記録部は、前記ユニットの出力状態に対応する前記標識を記録しており、前記制御部は、前記ユニットの出力状態を判定し、前記ユニットの出力状態に対応する前記標識を前記記録部から読み出すことを特徴とする。
【００１１】
また、本発明の一態様に係る顕微鏡システムは、前記顕微鏡制御部は、前記標識に応じて前記表示部において前記標識が表示される位置又は大きさを変更することを特徴とする。
【発明の効果】
【００１２】
本発明によれば、顕微鏡が設置された地域に応じて標識を変更可能な顕微鏡システムを実現することができる。
【図面の簡単な説明】
【００１３】
【図１】図１は、本発明の実施の形態１に係る顕微鏡システムの構成を示す模式図である。
【図２】図２は、図１の地域情報記録部に記録されている標識の一例を示す図である。
【図３】図３は、図１に示す顕微鏡システムの動作を示すフローチャートである。
【図４】図４は、本発明の実施の形態２に係る顕微鏡システムの構成を示す模式図である。
【図５】図５は、地域、ユニットの有無、ユニットの出力状態に対応する標識を表す図である。
【図６】図６は、図４の地域情報記録部に記録されている標識の一例を示す図である。
【図７】図７は、図４に示す顕微鏡システムの動作を示すフローチャートである。
【発明を実施するための形態】
【００１４】
以下に、図面を参照して本発明に係る顕微鏡システムの実施の形態を説明する。なお、これらの実施の形態により本発明が限定されるものではない。本発明は、顕微鏡システム一般に適用することができる。
【００１５】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１６】
（実施の形態１）
図１は、本発明の実施の形態１に係る顕微鏡システムの構成を示す模式図である。図１に示すように、本実施の形態１に係る顕微鏡システム１は、標本を観察する顕微鏡２と、顕微鏡２を制御する顕微鏡制御部３と、を備える。顕微鏡２と顕微鏡制御部３とは、不図示のケーブルで電気的に接続されている。
【００１７】
顕微鏡２は、顕微鏡制御部３から入力された画像信号に応じて画像を表示する表示部４を有する。表示部４は、顕微鏡２の表面の視認しやすい位置に配置されている。表示部４は、例えばカラー表示が可能な液晶や有機ＥＬ（Ｅｌｅｃｔｒｏ  Ｌｕｍｉｎｅｓｃｅｎｃｅ）等の表示パネルを用いて構成される。
【００１８】
顕微鏡制御部３は、顕微鏡２の位置に関する位置情報を取得して出力する位置情報取得部５と、各地域に対応する標識を含む地域情報を記録している記録部６と、位置情報取得部５が出力した位置情報に対応する地域を判定し、記録部６からその地域に対応する地域情報を読み出し、その地域情報に対応する各種情報を表示部４に出力する制御部７と、を有する。
【００１９】
位置情報取得部５は、ＧＰＳ受信機を含み、地上の物体の位置を測位する測定手段であるＧＰＳを構成する複数のＧＰＳ衛星から送信されてくる衛星の軌道情報を受信し、この受信した軌道情報に基づいて、顕微鏡２の使用時における顕微鏡２の位置情報を検出し、この位置情報を制御部７に出力する。ここで、位置情報は、経度、緯度等を含む情報である。また、位置情報取得部５は、接続されたネットワークから顕微鏡システム１のＩＰアドレス等を検出することによって顕微鏡２の位置情報を取得する構成であってもよい。また、位置情報取得部５は、キーボード、マウス、タッチパネル等の入力装置を含み、使用者が入力装置によって位置情報を入力する構成であってもよい。
【００２０】
記録部６は、顕微鏡２に実行させる各種プログラム、及びプログラムの実行中に使用される各種データを記録する。また、記録部６は、各地域に対応する地域情報が記録されている地域情報記録部６ａを有する。地域情報には、例えば文字や記号で構成されている表示データである標識が含まれる。標識は、例えば国や地域に対応して定められている使用者に注意を喚起する警告ラベルである。
【００２１】
図２は、図１の地域情報記録部に記録されている標識の一例を示す図である。図２に示すように、地域情報記録部６ａは、顕微鏡２が設置されている地域が米国である場合の地域情報としての標識Ａ１と、顕微鏡２が設置されている地域が日本である場合の地域情報としての標識Ｂ１と、顕微鏡２が設置されている地域が中国である場合の地域情報としての標識Ｃ１と、を記録している。なお、図２は一例であり、地域情報記録部６ａは、他の国や地域の警告ラベルも記録している。また、地域とは、例えば国であるが、欧州連合（ＥＵ：Ｅｕｒｏｐｅａｎ  Ｕｎｉｏｎ）等であってもよい。
【００２２】
また、地域情報には、各地域の公用語がどの言語であるかを示す情報等が含まれる。具体的には、地域情報記録部６ａには、米国の公用語が英語であり、日本の公用語が日本語であり、中国の公用語が中国語であることが地域情報として記録されている。
【００２３】
記録部６は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等の半導体メモリ、又はＨＤＤ（Ｈａｒｄ  Ｄｉｓｋ  Ｄｒｉｖｅ）を用いて構成される。
【００２４】
制御部７は、顕微鏡システム１を構成する各部を統括的に制御する。制御部７は、ＣＰＵ（Ｃｅｎｔｒａｌ  Ｐｒｏｃｅｓｓｉｎｇ  Ｕｎｉｔ）等を用いて構成される。
【００２５】
次に、顕微鏡システム１の動作について説明する。図３は、図１に示す顕微鏡システムの動作を示すフローチャートである。顕微鏡システム１の電源が立ち上げられると、顕微鏡制御部３の位置情報取得部５は、顕微鏡２の位置に関する位置情報を取得する（ステップＳ１０１）。具体的には、位置情報取得部５は、顕微鏡２が東京に置かれている場合、東京の緯度及び経度を位置情報として取得する。
【００２６】
続いて、位置情報取得部５は、取得した位置情報を制御部７に出力する（ステップＳ１０２）。
【００２７】
制御部７は、位置情報取得部５が出力した位置情報に対応する地域を判定する（ステップＡ１０３）。具体的には、制御部７は、位置情報に含まれる東京の緯度及び経度から、位置情報に対応する地域が日本であると判定する。
【００２８】
さらに、制御部７は、記録部６からその地域に対応する地域情報を読み出す（ステップＳ１０４）。具体的には、制御部７は、記録部６から日本の地域情報として標識Ｂ１を読み出す。また、制御部７は、記録部６から日本の公用語が日本語であることを読み出す。
【００２９】
そして、制御部７の制御のもと、顕微鏡制御部３は、記録部６から読み出した標識の画像信号を表示部４に出力する（ステップＳ１０５）。具体的には、顕微鏡制御部３は、表示部４に標識Ｂ１の画像信号を出力する。すると、表示部４に標識Ｂ１が表示される。また、顕微鏡制御部３は、表示部４に表示される各種表示の言語を日本語にして出力する。
【００３０】
以上説明したように、顕微鏡システム１は、顕微鏡２が設置された地域に応じて標識が変更される顕微鏡システムである。この顕微鏡システム１では、顕微鏡２が設置された位置が含まれる地域に対応する標識が表示されるので、顕微鏡２が設置される地域に応じて警告ラベル等の標識を貼り替える手間がかからない。
【００３１】
なお、表示部４に表示される標識は、警告ラベルに限られない。標識は、例えば販売代理店のロゴマークや連絡先を含むラベルであってもよい。顕微鏡２を販売する地域によって販売代理店が異なる場合があるが、顕微鏡システム１では、そのような場合でも顕微鏡２が設置される地域に応じて標識を貼り替える手間がかからない。
【００３２】
また、顕微鏡制御部３は、例えば顕微鏡システム１に付属されたタブレット型の端末の言語を、顕微鏡２が設置された地域に応じて変更する機能を備えていてもよい。タブレット型の端末には、例えば取扱説明書等が表示可能である。
【００３３】
（実施の形態２）
図４は、本発明の実施の形態２に係る顕微鏡システムの構成を示す模式図である。図４に示すように、実施の形態２に係る顕微鏡システム１１は、標本を観察する顕微鏡１２と、顕微鏡１２を制御する顕微鏡制御部１３と、顕微鏡１２に接続されるユニット１８と、顕微鏡１２とユニット１８とを接続するケーブル１９と、を備える。以下において、実施の形態１と同様の構成については適宜説明を省略する。
【００３４】
顕微鏡１２は、顕微鏡制御部１３から入力された画像信号に応じて画像を表示する２つの表示部１４ａ及び表示部１４ｂを有する。
【００３５】
顕微鏡制御部１３は、顕微鏡１２が設置されている位置情報を取得する位置情報取得部１５と、各地域に対応する地域情報を記録している記録部１６と、位置情報取得部１５が出力した位置情報に対応する地域を判定し、記録部１６からその地域に対応する地域情報を読み出し、その地域情報に対応する各種情報を表示部１４ａ及び表示部１４ｂに出力する制御部１７と、を有する。
【００３６】
位置情報取得部１５は、ＧＰＳ受信機を含む。
【００３７】
記録部１６は、顕微鏡１２に実行させる各種プログラム、及びプログラムの実行中に使用される各種データを記録する。また、記録部１６は、各地域に対応する地域情報が記録されている地域情報記録部１６ａを有する。地域情報には、例えば文字や記号で構成されている表示データである標識が含まれる。また、地域情報には、各地域に対応するとともにユニット１８及びユニット１８の出力状態に対応する標識が含まれる。
【００３８】
図５は、地域、ユニットの有無、ユニットの出力状態に対応する標識を表す図である。図５に示すように、地域情報記録部１６ａには、地域、ユニットの有無、ユニットの出力状態に対応する標識Ａ２１、標識Ａ２２、標識Ｂ２１、標識Ｂ２２が記憶されている。図６は、図４の地域情報記録部に記録されている標識の一例を示す図である。具体的には、図６に示すように、地域情報記録部１６ａは、顕微鏡１２が設置されている地域が日本であり、かつユニット１８の出力状態が弱（レーザクラスが１）である場合の標識Ａ２１と、顕微鏡１２が設置されている地域が日本であり、かつユニット１８の出力状態が強（レーザクラスが４）である場合の標識Ａ２２と、顕微鏡１２が設置されている地域が米国であり、かつユニット１８の出力状態が弱（レーザクラスが１）である場合の標識Ｂ２１と、顕微鏡１２が設置されている地域が米国であり、かつユニット１８の出力状態が強（レーザクラスが４）である場合の標識Ｂ２２と、を記録している。
【００３９】
制御部１７は、顕微鏡システム１１を構成する各部を統括的に制御する。
【００４０】
ユニット１８は、例えばレーザーコンバイナーであり、レーザ光を出力する。ユニット１８は、出力状態を弱（レーザクラス１）と強（レーザクラス４）とで変更することができる。
【００４１】
ケーブル１９は、例えば光ファイバであり、ユニット１８から出力されたレーザ光を顕微鏡１２の光学系に入射させる。
【００４２】
次に、顕微鏡システム１１の動作について説明する。図７は、図４に示す顕微鏡システムの動作を示すフローチャートである。図７に示すように、顕微鏡システム１１の電源が立ち上げられると、顕微鏡制御部１３の位置情報取得部１５は、顕微鏡システム１１が設置されている位置情報を取得する（ステップＳ２０１）。具体的には、位置情報取得部５は、顕微鏡２が東京に置かれている場合、東京の緯度及び経度を位置情報として取得する。
【００４３】
続いて、位置情報取得部１５は、取得した位置情報を制御部１７に送信する（ステップＳ２０２）。
【００４４】
その後、制御部１７は、ユニットの有無及びユニットの出力状態を取得する（ステップＳ２０３）。具体的には、制御部１７は、例えば、ユニット１８が接続されており（ユニット有）、ユニット１８の出力状態が弱であることをユニット１８から取得する。
【００４５】
そして、制御部１７は、位置情報取得部１５から送信された位置情報の位置が含まれる地域、ユニット１８から取得したユニットの有無、及びユニット１８の出力状態等の各情報に対応する地域情報を記録部１６から読み出す（ステップＳ２０４）。具体的には、制御部１７は、実施の形態１と同様に、制御部１７から日本の地域情報として標識Ｂ１を読み出す。さらに、制御部１７は、図５において地域が日本であり、ユニット１８が接続されており、かつユニット１８の出力状態が弱に対応する標識Ａ２１を記録部１６から読み出す。
【００４６】
続いて、制御部１７の制御のもと、顕微鏡制御部１３は、記録部１６から読み出した標識の画像信号を表示部に出力する（ステップＳ２０５）。具体的には、顕微鏡制御部１３は、標識Ｂ１の画像信号を表示部１４ａに出力するとともに、標識Ａ２１の画像信号を表示部１４ｂに出力する。
【００４７】
その後、制御部１７は、ユニット１８の出力状態が変更されたか否かを判定する（ステップＳ２０６）。制御部１７がユニット１８の出力状態が変更されたと判定した場合（ステップＳ２０６：Ｙｅｓ）、ステップＳ２０３に戻り、ステップＳ２０３〜ステップＳ２０５の処理が適宜実行され、顕微鏡制御部１３から変更後の出力状態に対応する標識が出力される。
【００４８】
一方、制御部１７がユニット１８の出力状態が変更されていないと判定した場合（ステップＳ２０６：Ｎｏ）、制御部１７は、所定の終了を指示する信号が入力された否かを判定する（ステップＳ２０７）。制御部１７が終了を指示する信号が入力されていないと判定した場合（ステップＳ２０７：Ｎｏ）、ステップＳ２０５に戻り出力状態が変更されるまで顕微鏡制御部１３から同じ画像信号の出力が継続される。一方、制御部１７が終了を指示する信号が入力されたと判定した場合（ステップＳ２０７：Ｙｅｓ）、一連の処理が終了する。
【００４９】
以上説明したように、顕微鏡システム１１は、顕微鏡１２が設置された地域、ユニットの有無、及びユニットの出力状態に応じて標識を変更可能な顕微鏡システムである。この顕微鏡システム１１では、顕微鏡システム１１が設置された位置が含まれる地域に対応する標識が自動的に表示されるので、出荷する地域に応じて警告ラベルを貼り替える手間が削減される。
【００５０】
さらに、この顕微鏡システム１１では、ユニット１８が接続されると、ユニット１８に対応して適切な標識が表示される。その結果、ユニット１８が接続されると、そのユニット１８に対応する警告ラベルを表示することが要求される場合であっても、警告ラベルを貼り替える手間がかからない。
【００５１】
同様に、この顕微鏡システム１１では、ユニット１８の出力状態が変更されると、ユニットの出力状態に対応して適切な標識が表示される。その結果、ユニット１８の出力状態が変更されると、そのユニット１８の出力状態に対応する警告ラベルを表示することが要求される場合であっても、警告ラベルを貼り替える手間がかからない。
【００５２】
なお、顕微鏡制御部１３は、表示部１４ａ又は表示部１４ｂに表示させる標識に応じて表示部において標識が表示される位置及び大きさを変更してもよい。この構成により、例えば、ユニット１８の出力が高い場合に、警告ラベルを大きく表示することが要求される場合であっても、警告ラベルを貼り替える手間がかからない。
【００５３】
また、顕微鏡システム１１においては、ユニットの有無及び出力状態に応じて標識を変更したがこれに限られない。例えば、顕微鏡システムは、接続されたユニットに応じて標識を変更する構成であってもよい。
【００５４】
なお、上述した実施の形態において、表示部は、表示内容を電気的に書き換えられる電子ペーパーであってもよい。表示部として電子ペーパーを用いる場合、顕微鏡システムの電源を切った後でも標識を表示し続ける構成にすることができる。さらに、この構成において、顕微鏡システムは、電池、バッテリーなどの内部電源を有していてもよい。内部電源により適宜ＧＰＳ受信機である位置情報取得部が顕微鏡の位置を検出することにより、主電源が切られた状態で顕微鏡の位置が変わる搬送中においても、適宜顕微鏡がある位置が含まれる地域に対応する標識を表示させることができる。
【００５５】
さらなる効果や変形例は、当業者によって容易に導き出すことができる。よって、本発明のより広範な態様は、以上のように表わしかつ記述した特定の詳細及び代表的な実施形態に限定されるものではない。したがって、添付のクレーム及びその均等物によって定義される総括的な発明の概念の精神又は範囲から逸脱することなく、様々な変更が可能である。
【符号の説明】
【００５６】
１、１１  顕微鏡システム
２、１２  顕微鏡
３、１３  顕微鏡制御部
４、１４ａ、１４ｂ  表示部
５、１５  位置情報取得部
６、１６  記録部
６ａ、１６ａ  地域情報記録部
７、１７  制御部
１８  ユニット
１９  ケーブル
Ａ１、Ａ２１、Ａ２２、Ｂ１、Ｂ２１、Ｂ２２、Ｃ１  標識
【図１】
2017203802.tif 000003
【図２】
2017203802.tif 000004
【図３】
2017203802.tif 000005
【図４】
2017203802.tif 000006
【図５】
2017203802.tif 000007
【図６】
2017203802.tif 000008
【図７】
2017203802.tif 000009